(57)【要約】  下り共有チャネルの受信処理を適切に制御すること。本開示の一態様に係る端末は、共通サーチスペースを監視して、下りリンク共有チャネルのスケジューリングに用いられる下りリンク制御情報を受信する受信部と、マスタ情報ブロック（Master  Information  Block（ＭＩＢ））内のパラメータによって制御リソースセットが設定されるか否かに基づいて、前記下りリンク制御情報により指定可能なリソースブロックを制御する制御部と、を具備することを特徴とする。
2020075618.tif 000002
【特許請求の範囲】
【請求項１】
共通サーチスペースを監視して、下りリンク共有チャネルのスケジューリングに用いられる下りリンク制御情報を受信する受信部と、
マスタ情報ブロック（Master  Information  Block（ＭＩＢ））内のパラメータによって制御リソースセットが設定されるか否かに基づいて、前記下りリンク制御情報により指定可能なリソースブロックを制御する制御部と、を具備することを特徴とする端末。
【請求項２】
前記制御部は、前記制御リソースセットが設定される場合、前記リソースブロックの最大数を、前記制御リソースセットのサイズに基づいて決定することを特徴とする請求項１に記載の端末。
【請求項３】
前記制御部は、前記制御リソースセットが設定されない場合、前記リソースブロックの最大数を、初期下りリンク帯域幅部分（Bandwidth  part（ＢＷＰ））のサイズに基づいて決定することを特徴とする請求項１又は請求項２に記載の端末。
【請求項４】
前記初期下りリンクＢＷＰのサイズは、初期下りリンクＢＷＰ用に提供される位置及び帯域幅の少なくとも１つの決定に用いられる情報によって与えられ、
前記情報は、Radio  Resource  Control（ＲＲＣ）再構成メッセージ又はシステム情報ブロック１（System  Information  Block（ＳＩＢ）  1）に含まれることを特徴とする請求項３に記載の端末。
【請求項５】
前記下りリンク制御情報は、Cell−Radio  Network  Temporary  Identifier（Ｃ−ＲＮＴＩ）、Configured  Scheduling（ＣＳ）−ＲＮＴＩ、Random  Access（ＲＡ）−ＲＮＴＩ又はTemporary  Cell（ＴＣ）−ＲＮＴＩによって巡回冗長検査（Cyclic  Redundancy  Check（ＣＲＣ））スクランブルされることを特徴とする請求項１から請求項４のいずれかに記載の端末。
【請求項６】
共通サーチスペースを監視して、下りリンク共有チャネルのスケジューリングに用いられる下りリンク制御情報を受信するステップと、
マスタ情報ブロック（Master  Information  Block（ＭＩＢ））内のパラメータによって制御リソースセットが設定されるか否かに基づいて、前記下りリンク制御情報により指定可能なリソースブロックの最大数の少なくとも一つを制御するステップと、を具備することを特徴とする端末の無線通信方法。
【発明の詳細な説明】
【技術分野】
【０００１】
本開示は、次世代移動通信システムにおける端末及び無線通信方法に関する。
【背景技術】
【０００２】
ＵＭＴＳ（Universal  Mobile  Telecommunications  System）ネットワークにおいて、更なる高速データレート、低遅延などを目的としてＬＴＥ（Long  Term  Evolution）が仕様化された（非特許文献１）。また、ＬＴＥ（３ＧＰＰ（Third  Generation  Partnership  Project）  Ｒｅｌ．（Release）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、５Ｇ（5th  generation  mobile  communication  system）、５Ｇ＋（plus）、ＮＲ（New  Radio）、３ＧＰＰ  Ｒｅｌ．１５以降などともいう）も検討されている。【０００４】
ＮＲにおける初期アクセスでは、同期信号ブロック（ＳＳＢ：Synchronization  Signal  Block）の検出、ブロードキャストチャネル（ＰＢＣＨ：Physical  Broadcast  Channel、Ｐ−ＢＣＨ等ともいう）によって伝送されるブロードキャスト情報（例えば、マスタ情報ブロック（ＭＩＢ：Master  Information  Block））の取得、ランダムアクセスによる接続の確立の少なくとも一つが行われる。【０００５】
ここで、ＳＳＢとは、同期信号（例えば、プライマリ同期信号（ＰＳＳ：Primary  Synchronization  Signal）、セカンダリ同期信号（ＳＳＳ：Secondary  Synchronization  Signal））及びＰＢＣＨの少なくとも一つを含む信号ブロックであり、ＳＳ／ＰＢＣＨブロック等とも呼ばれる。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（以下、ＮＲともいう）では、一以上のユーザ端末（ＵＥ：User  Equipment）に共通のサーチスペース（共通サーチスペース（ＣＳＳ：Common  Search  Space））用の制御リソースセット（ＣＯＲＥＳＥＴ：Control  Resource  Set）（ＣＯＲＥＳＥＴ＃０、タイプ０−ＰＤＣＣＨ  ＣＳＳ等ともいう）がＵＥに設定されることが想定される。例えば、ＣＯＲＥＳＥＴ＃０は、ＭＩＢ内のパラメータ（例えば、pdcch-ConfigSIB1）に基づいて設定されることが検討されている。【０００８】
しかしながら、ＭＩＢ内のパラメータ（例えば、pdcch-ConfigSIB1）に基づいてＣＯＲＥＳＥＴ＃０が設定されない場合、ＣＳＳで監視される所定の下り制御情報（ＤＣＩ：Downlink  Control  Information）によりスケジューリングされる下り共有チャネル（例えば、ＰＤＳＣＨ）の周波数領域を適切に指定できない恐れがある。この結果、ＵＥが、当該下り共有チャネルの受信処理（例えば、受信、復調、復号、レートマッチング等の少なくとも一つ）を適切に制御できない恐れがある。【０００９】
そこで、本開示は、下り共有チャネルの受信処理を適切に制御可能な端末及び無線通信方法を提供することを目的の１つとする。
【課題を解決するための手段】
【００１０】
本開示の一態様に係る端末は、共通サーチスペースを監視して、下りリンク共有チャネルのスケジューリングに用いられる下りリンク制御情報を受信する受信部と、マスタ情報ブロック（Master  Information  Block（ＭＩＢ））内のパラメータによって制御リソースセットが設定されるか否かに基づいて、前記下りリンク制御情報により指定可能なリソースブロックを制御する制御部と、を具備することを特徴とする。
【発明の効果】
【００１１】
本開示の一態様によれば、下り共有チャネルの受信処理を適切に制御できる。
【図面の簡単な説明】
【００１２】
【図１】図１は、ＭＩＢに基づくＣＯＲＥＳＥＴ＃０の設定の一例を示す図である。
【図２】図２は、ＲＲＣ再構成メッセージの一例を示す図である。
【図３】図３は、第１の態様に係るＲＢナンバリング及び最大ＲＢ数の制御の一例を示す図である。
【図４】図４は、第２の態様に係るＲＢナンバリング及び最大ＲＢ数の制御の一例を示す図である。
【図５】図５は、一実施形態に係る無線通信システムの概略構成の一例を示す図である。
【図６】図６は、一実施形態に係る基地局の構成の一例を示す図である。
【図７】図７は、一実施形態に係るユーザ端末の構成の一例を示す図である。
【図８】図８は、一実施形態に係る基地局及びユーザ端末のハードウェア構成の一例を示す図である。
【発明を実施するための形態】
【００１３】
将来の無線通信システム（以下、ＮＲともいう）における初期アクセスでは、同期信号ブロック（ＳＳＢ：Synchronization  Signal  Block）の検出、ブロードキャストチャネル（ＰＢＣＨ：Physical  Broadcast  Channel、Ｐ−ＢＣＨ等ともいう）によって伝送されるブロードキャスト情報（例えば、マスタ情報ブロック（ＭＩＢ：Master  Information  Block））の取得、ランダムアクセスによる接続の確立の少なくとも一つが行われる。
【００１４】
ここで、ＳＳＢとは、同期信号（例えば、プライマリ同期信号（ＰＳＳ：Primary  Synchronization  Signal）、セカンダリ同期信号（ＳＳＳ：Secondary  Synchronization  Signal））及びＰＢＣＨの少なくとも一つを含む信号ブロックであり、ＳＳ／ＰＢＣＨブロック等とも呼ばれる。
【００１５】
また、ＮＲでは、ユーザ端末（ＵＥ：User  Terminal）は、サーチスペース（ＳＳ：Search  Space）を監視（monitor）（ブラインド復号）して、所定のＲＮＴＩ（Radio  Network  Temporary  Identifier）でスクランブルされる巡回冗長検査（ＣＲＣ：Cyclic  Redundancy  Check）ビットを有する（ＣＲＣスクランブルされる）ＤＣＩを検出する。
【００１６】
当該ＳＳには、一以上のＵＥに共通の（セル固有の）ＤＣＩの監視に用いられるサーチスペース（共通サーチスペース（ＣＳＳ：Common  Search  Space））と、ＵＥ固有のＤＣＩの監視に用いられるサーチスペース（ユーザ固有サーチスペース（ＵＳＳ：User-specific  Search  Space））とが含まれてもよい。
【００１７】
ＣＳＳには、例えば、以下の少なくとも一つが含まれてもよい。
・タイプ０−ＰＤＣＣＨ  ＣＳＳ
・タイプ０Ａ−ＰＤＣＣＨ  ＣＳＳ
・タイプ１−ＰＤＣＣＨ  ＣＳＳ
・タイプ２−ＰＤＣＣＨ  ＣＳＳ
・タイプ３−ＰＤＣＣＨ  ＣＳＳ
【００１８】
タイプ０−ＰＤＣＣＨ  ＣＳＳは、システム情報（例えば、ＳＩＢ（System  Information  Block）１、ＲＭＳＩ（Remaining  Minimum  System  Informatio））用のＳＳ等とも呼ばれる。タイプ０−ＰＤＣＣＨ  ＣＳＳは、ＳＩ−ＲＮＴＩ（System  Information−Radio  Network  Temporary  Identifier）でＣＲＣスクランブルされるＤＣＩ用のサーチスペース（ＳＩＢ１を伝送する下り共有チャネル（ＰＤＳＣＨ：Physical  Downlink  Shared  Channel）をスケジューリングするＤＣＩのモニタリング用のサーチスペース）であってもよい。
【００１９】
タイプ０Ａ−ＰＤＣＣＨ  ＣＳＳは、ＯＳＩ（Other  System  Information）用のＳＳ等とも呼ばれる。タイプ０Ａ−ＰＤＣＣＨ  ＣＳＳは、ＳＩ−ＲＮＴＩでＣＲＣスクランブルされるＤＣＩ用のサーチスペース（ＯＳＩを伝送するＰＤＳＣＨをスケジューリングするＤＣＩのモニタリング用のサーチスペース）であってもよい。
【００２０】
タイプ１−ＰＤＣＣＨ  ＣＳＳは、ランダムアクセス（ＲＡ）用のＳＳ等とも呼ばれる。タイプ１−ＰＤＣＣＨ  ＣＳＳは、ＲＡ−ＲＮＴＩ（Random  Access−RNTI）、ＴＣ−ＲＮＴＩ（Temporary  Cell−RNTI）又はＣ−ＲＮＴＩ（Cell―RNTI））でＣＲＣスクランブルされるＤＣＩ用のサーチスペース（ＲＡ手順用のメッセージ（例えば、ランダムアクセス応答（Random  Access  Response：ＲＡＲ、メッセージ２）、衝突解決用メッセージ（メッセージ４））を伝送するＰＤＳＣＨをスケジューリングするＤＣＩのモニタリング用のサーチスペース）であってもよい。
【００２１】
タイプ２−ＰＤＣＣＨ  ＣＳＳは、ページング用のＳＳ等とも呼ばれる。タイプ２−ＰＤＣＣＨ  ＣＳＳは、Ｐ−ＲＮＴＩ：Paging−RNTIでＣＲＣスクランブルされるＤＣＩ用のサーチスペース（ページングを伝送するＰＤＳＣＨをスケジューリングするＤＣＩのモニタリング用のサーチスペース）であってもよい。
【００２２】
タイプ３−ＰＤＣＣＨ  ＣＳＳは、例えば、ＤＬプリエンプション指示用のＩＮＴ−ＲＮＴＩ（Interruption  RNTI）、スロットフォーマット指示用のＳＦＩ−ＲＮＴＩ（Slot  Format  Indicator  RNTI）、ＰＵＳＣＨ（Physical  Uplink  Shared  Channel）の送信電力制御（ＴＰＣ：Transmit  Power  Control）用のＴＰＣ−ＰＵＳＣＨ−ＲＮＴＩ、ＰＵＣＣＨ（Physical  Uplink  Control  Channel）のＴＰＣ用のＴＰＣ−ＰＵＣＣＨ−ＲＮＴＩ、ＳＲＳ（Sounding  Reference  Signal）のＴＰＣ用のＴＰＣ−ＳＲＳ−ＲＮＴＩ、Ｃ−ＲＮＴＩ、ＣＳ−ＲＮＴＩ（Configured  Scheduling  RNTI）又はＳＰ−ＣＳＩ−ＲＮＴＩ（Semi-Persistent-CSI-RNTI））でＣＲＣスクランブルされるＤＣＩ用のサーチスペースであってもよい。
【００２３】
以上のようなＣＳＳには、制御リソースセット（ＣＯＲＥＳＥＴ：Control  Resource  set）が関連付けられる。ＣＯＲＥＳＥＴは、ＤＣＩを伝送する下り制御チャネル（例えば、ＰＤＣＣＨ：Physical  Downlink  Control  Channel）の割当て候補領域である。
【００２４】
上位レイヤシグナリングされる特定のパラメータ（例えば、ControlResourceSetZero）によって設定されるＣＳＳ用のＣＯＲＥＳＥＴは、ＣＯＲＥＳＥＴ＃０、ＣＯＲＥＳＥＴ０、共通ＣＯＲＥＳＥＴ等とも呼ばれる。なお、ＣＯＲＥＳＥＴ＃０は、タイプ０−ＰＤＣＣＨ  ＣＳＳ用のＣＯＲＥＳＥＴであってもよい。
【００２５】
図１は、ＭＩＢに基づくＣＯＲＥＳＥＴ＃０の決定の一例を示す図である。図１に示すように、ＭＩＢには、システム情報（例えば、ＳＩＢ１又はＲＭＳＩ等）用のＰＤＣＣＨに関する設定情報（pdcch-ConfigSIB1又はRMSI-PDCCH-Config等ともいう）が含まれてもよい。なお、図１に示すＭＩＢ内のパラメータ及び当該パラメータの階層構造は一例にすぎず、一部のパラメータ（階層）が省略されてもよいし、追加されてもよい。
【００２６】
図１に示すように、ＭＩＢ内のpdcch-ConfigSIB1は、ＣＯＲＥＳＥＴ＃０の設定に用いられる情報（ControlResourceSetZero、所定数の最上位ビット（ＭＳＢ：Most  Significant  bit）（例えば、４ＭＳＢ）等ともいう）を含んでもよい。
【００２７】
例えば、図１では、ＵＥは、pdcch-ConfigSIB1内のControlResourceSetZeroが示すインデックスに関連付けられるリソースブロック（ＲＢ：Resource  Block、物理リソースブロック（ＰＲＢ：Physical  Resource  Block）等ともいう）の数（ＮＣＯＲＥＳＥＴＲＢ）に基づいてＣＯＲＥＳＥＴ＃０の帯域幅（ＲＢ数）を決定してもよい。
【００２８】
なお、本明細書において、「ＲＢ数」、「サイズ」、「帯域幅」「周波数領域」は、互換的に用いられ、相互に言い換えられてもよい。
【００２９】
ところで、ＵＥは、ＭＩＢ内のpdcch-ConfigSIB1に基づいて、ＣＯＲＥＳＥＴ＃０を設定しないことができる。例えば、特定のセルでは、ＰＢＣＨ（ＭＩＢ）はブロードキャストされるが、システム情報（例えば、ＳＩＢ１、ＲＭＳＩ）はブロードキャストされないため、ＣＯＲＥＳＥＴ＃０は設定されなくともよい。
【００３０】
当該特定のセルは、例えば、ＳＳＢなしのプライマリセカンダリセル（ＰＳＣｅｌｌ：Primary  Secondary  Cell）又はセカンダリセル（ＳＣｅｌｌ：Secondary  Cell））、非スタンドアローン（Non-Standalone：ＮＳＡ）（例えば、ＥＮ−ＤＣ：E-UTRA-NR  Dual  Connectivity、ＮＥ−ＤＣ：NR-E-UTRA  Dual  Connectivity等）のＮＲ用のセルであってもよい。
【００３１】
このように、ＮＲでは、ＭＩＢ内のpdcch-ConfigSIB1に基づいてＣＯＲＥＳＥＴ＃０が設定されないことも想定される。ＭＩＢ内のpdcch-ConfigSIB1に基づいてＣＯＲＥＳＥＴ＃０が設定されない場合、ＵＥが、所定のＤＣＩ（例えば、上述のＣＳＳで検出され、かつ、特定のＲＮＴＩでＣＲＣスクランブルされるＤＣＩフォーマット１＿０）でスケジューリングされるＰＤＳＣＨが、どの周波数領域で送信されるかを認識できない恐れがある。
【００３２】
具体的には、特定のＲＮＴＩ（例えば、Ｐ−ＲＮＴＩ、ＳＩ−ＲＮＴＩ、ＲＡ−ＲＮＴＩ、Ｃ−ＲＮＴＩ又はＴＣ−ＲＮＴＩ）でＣＲＣスクランブルされるＤＣＩ（例えば、ＤＣＩフォーマット１＿０）がＣＳＳで検出される場合、ＵＥは、当該ＤＣＩによりスケジューリングされるＰＤＳＣＨ用のＲＢのナンバリング（numbering）（ＲＢナンバリング）が、当該ＤＣＩが受信されるＣＯＲＥＳＥＴで最も低いＲＢ（lowest  RB）から始まると想定する。また、ＵＥは、当該ＤＣＩによって指定可能な最大ＲＢ数は、ＣＯＲＥＳＥＴ＃０のサイズによって与えられると想定する。
【００３３】
しかしながら、ＭＩＢ内のpdcch-ConfigSIB1に基づいてＣＯＲＥＳＥＴ＃０が設定されない場合、ＣＯＲＥＳＥＴ＃０に割り当てられる周波数領域を認識できない結果、所定のＤＣＩ（例えば、上述のＣＳＳで検出され、かつ、特定のＲＮＴＩでＣＲＣスクランブルされるＤＣＩフォーマット１＿０）でスケジューリングされるＰＤＳＣＨが、どの周波数領域で送信されるかを認識できない恐れがある。
【００３４】
そこで、本発明者らは、ＭＩＢ内のpdcch-ConfigSIB1に基づいてＣＯＲＥＳＥＴ＃０が設定されない場合であっても、所定のＤＣＩ（例えば、上述のＣＳＳで検出され、かつ、特定のＲＮＴＩでＣＲＣスクランブルされるＤＣＩフォーマット１＿０）でスケジューリングされるＰＤＳＣＨが送信される周波数領域を適切に指定する方法を検討し、本発明に至った。
【００３５】
以下、本開示の一実施形態について、図面を参照して詳細に説明する。
【００３６】
（第１の態様）
第１の態様では、ＵＥは、ＣＯＲＥＳＥＴ＃０が設定（configure）されるか否かに基づいて、所定のＤＣＩによりスケジューリングされるＰＤＳＣＨ用のＲＢナンバリング、及び、当該所定のＤＣＩにより指定可能な最大ＲＢ数の少なくとも一つを制御してもよい。
【００３７】
当該所定のＤＣＩは、例えば、特定のＲＮＴＩ（例えば、Ｐ−ＲＮＴＩ、ＳＩ−ＲＮＴＩ、ＲＡ−ＲＮＴＩ、Ｃ−ＲＮＴＩ、ＣＳ−ＲＮＴＩ又はＴＣ−ＲＮＴＩ）でＣＲＣスクランブルされ、かつ、ＣＳＳで監視（検出）されるＤＣＩフォーマット１＿０のＤＣＩであってもよい。
【００３８】
第１の態様では、ＣＯＲＥＳＥＴ＃０が設定されない場合、共通ＣＯＲＥＳＥＴに基づいて、上記ＲＢナンバリング及び上記最大ＲＢ数の少なくとも一つを制御してもよい。
【００３９】
ここで、共通ＣＯＲＥＳＥＴとは、ＣＳＳ用のＣＯＲＥＳＥＴである。例えば、共通ＣＯＲＥＳＥＴは、ＲＡＲ、ページング、システム情報等の少なくとも一つをスケジューリングするＤＣＩ用に用いられてもよい。また、共通ＣＯＲＥＳＥＴは、タイプ０Ａ−ＰＤＣＣＨ  ＣＳＳ、タイプ１−ＰＤＣＣＨ  ＣＳＳ、タイプ２−ＰＤＣＣＨ  ＣＳＳ、タイプ３−ＰＤＣＣＨ  ＣＳＳの少なくとも一つ用のＣＯＲＥＳＥＴであってもよい。
【００４０】
共通ＣＯＲＥＳＥＴには、０（zero）以外の識別子（制御リソースセットＩＤ）が付与されてもよい。このように、共通ＣＯＲＥＳＥＴは、ＣＯＲＥＳＥＴ＃０に追加して設定されてもよい。
【００４１】
また、共通ＣＯＲＥＳＥＴは、ＲＲＣ再構成メッセージ又はＳＩＢ１に基づいて設定されてもよい。図２は、ＲＲＣ再構成メッセージの一例を示す図である。
【００４２】
図２に示すように、ＲＲＣ再構成メッセージ内のサービングセル（セル、コンポーネントキャリア）固有の設定情報（ServingCellConfigCommon）は、下り（Downlink）に共通の設定情報（DownlinkConfigCommon）を含んでもよい。DownlinkConfigCommonは、初期下りＢＷＰ（後述）に関する情報（initialDownlinkBWP）を含んでもよい。また、初期下りＢＷＰ用には、セル固有の共通パラメータ（BWP-DownlinkCommon）が提供（provide）されてもよい。
【００４３】
BWP-DownlinkCommonは、ＰＤＣＣＨに関するセル固有の設定情報（PDCCH-ConfigCommon）を含み、PDCCH-ConfigCommonは、共通ＣＯＲＥＳＥＴの設定に用いられる情報（commonControlResourceSet）を含んでもよい。
【００４４】
commonControlResourceSetは、共通ＣＯＲＥＳＥＴの周波数領域リソースを示す情報（frequencyDomainResources）を含んでもよい。ＵＥは、frequencyDomainResourcesに基づいて、共通ＣＯＲＥＳＥＴ内の最も低いＲＢ及び当該共通ＣＯＲＥＳＥＴのサイズ（帯域幅、ＲＢ数）を決定してもよい。
【００４５】
なお、図２に示すパラメータの階層構造は一例にすぎず、図示するものに限られない。例えば、図２では、初期下りＢＷＰに関する情報（例えば、initialDownlinkBWP用に与えられるBWP-DownlinkCommon）は、ServingCellConfigCommonに含まれるが、どのような階層のどのような情報項目（ＩＥ：Information  Element）に含まれてもよい。例えば、当該初期下りＢＷＰに関する情報は、ＳＩＢ１（例えば、ＳＩＢ１内のServingCellConfigCommonSIB内のDownlinkConfigCommonSIB）内に含まれてもよい。
【００４６】
図３は、第１の態様に係るＲＢナンバリング及び最大ＲＢ数の制御の一例を示す図である。図３のステップ１０１において、ＵＥは、ＣＯＲＥＳＥＴ＃０が設定されるか否かを判定してもよい。ＣＯＲＥＳＥＴ＃０は、ＭＩＢ（例えば、図１のpdcch-ConfigSIB1内のControlResourceSetZero）に基づいて設定されてもよい。
【００４７】
ＣＯＲＥＳＥＴ＃０がＵＥに設定される場合（ステップＳ１０１；Ｙｅｓ）、ステップＳ１０２において、ＵＥは、上記所定のＤＣＩ（例えば、特定のＲＮＴＩでＣＲＣスクランブルされ、ＣＳＳで監視されるＤＣＩフォーマット１＿０）によりスケジューリングされるＰＤＳＣＨ用のＲＢナンバリングを、ＣＯＲＥＳＥＴ＃０内の最も低いＲＢから開始してもよい。
【００４８】
ここで、ＲＢナンバリングとは、所定の帯域幅内の各ＲＢにインデックス（又は番号）を付与することである。ステップＳ１０２において、ＵＥは、ＣＯＲＥＳＥＴ＃０内の最も低いＲＢから昇順にインデックス（又は番号）を付与してもよい。
【００４９】
また、ステップＳ１０２において、ＵＥは、上記所定のＤＣＩ（例えば、特定のＲＮＴＩによりＣＲＣスクランブルされ、ＣＳＳで監視されるＤＣＩフォーマット１＿０）により指定可能な最大ＲＢ数をＣＯＲＥＳＥＴ＃０のサイズ（ＲＢ数、帯域幅）に基づいて決定してもよい。
【００５０】
ここで、上記所定のＤＣＩにより指定可能な最大ＲＢ数は、当該所定のＤＣＩによりＰＤＳＣＨに割り当てられ得る最大の帯域幅と言い換えられてもよい。
【００５１】
一方、ＣＯＲＥＳＥＴ＃０がＵＥに設定されない場合（ステップＳ１０１；Ｎｏ）、ステップＳ１０３において、ＵＥは、上記所定のＤＣＩ（例えば、特定のＲＮＴＩでＣＲＣスクランブルされ、ＣＳＳで監視されるＤＣＩフォーマット１＿０）によりスケジューリングされるＰＤＳＣＨ用のＲＢナンバリングを、上記共通ＣＯＲＥＳＥＴ内の最も低いＲＢから開始してもよい。
【００５２】
また、ステップＳ１０３において、ＵＥは、上記所定のＤＣＩ（例えば、特定のＲＮＴＩによりＣＲＣスクランブルされ、ＣＳＳで監視されるＤＣＩフォーマット１＿０）により指定可能な最大ＲＢ数を上記共通ＣＯＲＥＳＥＴのサイズ（ＲＢ数、帯域幅）に基づいて決定してもよい。
【００５３】
なお、ステップＳ１０１では、ＣＯＲＥＳＥＴ＃０がＭＩＢに基づいて設定されるものとしたが、ＣＯＲＥＳＥＴ＃０は、ＭＩＢ、ＳＩＢ１又はＲＲＣ再構成メッセージのいずれかで設定されてもよい。ＵＥは、特定の上位レイヤメッセージ（例えば、ＭＩＢ）に基づいてＣＯＲＥＳＥＴ＃０が設定されなければ（他の上位レイヤメッセージ（例えば、ＳＩＢ１又はＲＲＣ再構成メッセージ）でＣＯＲＥＳＥＴ＃０が設定されていても）、ステップＳ１０３を実施してもよい。或いは、ＵＥは、いずれの上位レイヤメッセージ（例えば、ＭＩＢ、ＳＩＢ又はＲＲＣ再構成メッセージ）によってもＣＯＲＥＳＥＴ＃０が設定されない場合に、ステップＳ１０３を実施してもよい。
【００５４】
また、ステップＳ１０１の判定は必須ではなく、ＵＥは、上記所定のＤＣＩ（例えば、特定のＲＮＴＩでＣＲＣスクランブルされ、ＣＳＳで監視されるＤＣＩフォーマット１＿０）によりスケジューリングされるＰＤＳＣＨ用のＲＢナンバリングを、所定の基準に従って、ＣＯＲＥＳＥＴ＃０又は共通ＣＯＲＥＳＥＴ内の最も低いＲＢから開始してもよい。
【００５５】
第１の態様によれば、ＵＥは、ＣＯＲＥＳＥＴ＃０が設定されない場合であっても、共通ＣＯＲＥＳＥＴに基づいて、上記所定のＤＣＩ（例えば、特定のＲＮＴＩでＣＲＣスクランブルされ、ＣＳＳで監視されるＤＣＩフォーマット１＿０）によりスケジューリングされるＰＤＳＣＨの周波数領域を指定することができる。
【００５６】
（第２の態様）
第２の態様では、第１の態様と同様に、ＵＥは、ＣＯＲＥＳＥＴ＃０が設定されるか否かに基づいて、所定のＤＣＩによりスケジューリングされるＰＤＳＣＨ用のＲＢナンバリング、及び、当該所定のＤＣＩにより指定可能な最大ＲＢ数の少なくとも一つを制御する。
【００５７】
一方、第２の態様では、ＣＯＲＥＳＥＴ＃０が設定されない場合、上記共通ＣＯＲＥＳＥＴではなく、初期下り帯域幅部分（ＢＷＰ：Bandwidth  part）に基づいて、上記ＲＢナンバリング及び上記最大ＲＢ数の少なくとも一つを制御する。以下では、第１の態様との相違点を中心に説明する。
【００５８】
ここで、初期下りＢＷＰは、上位レイヤメッセージ（例えば、ＲＲＣ再構成メッセージ又はＳＩＢ１）に基づいて設定されてもよい。例えば、図２に示すように、初期下りＢＷＰ用に提供されるセル固有の共通パラメータ（BWP-DownlinkCommon）は、初期下りＢＷＰの周波数領域の位置及び帯域幅の少なくとも一つ（位置／帯域幅）の決定に用いられる情報（位置／帯域幅情報、locationAndBandwidth）が含まれてもよい。
【００５９】
ＵＥは、初期下りＢＷＰ用に提供される位置／帯域幅情報（例えば、図２のBWP-DownlinkCommon内のpdcch-ConfigCommon内のlocationAndBandwidth）に基づいて、初期下りＢＷＰの位置／帯域幅を決定してもよい。なお、図２では、locationAndBandwidthは、BWP-DownlinkCommon内のpdcch-ConfigCommonに含まれるが、どのような階層のどのようなＩＥに含まれてもよい。
【００６０】
図４は、第２の態様に係るＲＢナンバリング及び最大ＲＢ数の制御の一例を示す図である。図４のステップＳ２０１及びＳ２０２は、図２のステップＳ１０１及びＳ２０１と同様である。
【００６１】
ＣＯＲＥＳＥＴ＃０がＵＥに設定されない場合（ステップＳ２０１；Ｎｏ）、ステップＳ２０３において、ＵＥは、上記所定のＤＣＩ（例えば、特定のＲＮＴＩでＣＲＣスクランブルされ、ＣＳＳで監視されるＤＣＩフォーマット１＿０）によりスケジューリングされるＰＤＳＣＨ用のＲＢナンバリングを、初期ＢＷＰ内の最も低いＲＢから開始してもよい。すなわち、ＵＥは、当該ＲＢナンバリングを、初期下りＢＷＰ用に提供される位置／帯域幅情報（例えば、図２のlocationAndBandwidth）によって指定される最も低いＲＢから開始してもよい。
【００６２】
また、ステップＳ２０３において、ＵＥは、上記所定のＤＣＩ（例えば、特定のＲＮＴＩによりＣＲＣスクランブルされ、ＣＳＳで監視されるＤＣＩフォーマット１＿０）により指定可能な最大ＲＢ数を初期下りＢＷＰのサイズ（ＲＢ数、帯域幅）に基づいて決定してもよい。すなわち、ＵＥは、当該ＲＢナンバリングを、初期下りＢＷＰ用に提供される位置／帯域幅情報（例えば、図２のlocationAndBandwidth）によって指定される初期下りＢＷＰのサイズに基づいて決定してもよい。
【００６３】
第２の態様によれば、ＵＥは、ＣＯＲＥＳＥＴ＃０が設定されない場合であっても、初期下りＢＷＰに基づいて、上記所定のＤＣＩ（例えば、特定のＲＮＴＩでＣＲＣスクランブルされ、ＣＳＳで監視されるＤＣＩフォーマット１＿０）によりスケジューリングされるＰＤＳＣＨの周波数領域を指定することができる。
【００６４】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【００６５】
図５は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【００６６】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビィティ（ＥＮ−ＤＣ：E-UTRA-NR  Dual  Connectivity）、ＮＲとＬＴＥとのデュアルコネクティビィティ（ＮＥ−ＤＣ：NR-E-UTRA  Dual  Connectivity）などを含んでもよい。
【００６７】
ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【００６８】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【００６９】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【００７０】
ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（Carrier  Aggregation）及びデュアルコネクティビティ（ＤＣ）の少なくとも一方を利用してもよい。
【００７１】
各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【００７２】
また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【００７３】
複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【００７４】
基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【００７５】
ユーザ端末２０は、ＬＴＥ、ＬＴＥ−Ａ、５Ｇなどの通信方式の少なくとも１つに対応した端末であってもよい。
【００７６】
無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【００７７】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【００７８】
無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【００７９】
また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【００８０】
ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【００８１】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【００８２】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【００８３】
ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【００８４】
１つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【００８５】
ＰＵＣＣＨによって、チャネル状態情報（ＣＳＩ：Channel  State  Information）、の送達確認情報（例えば、ＨＡＲＱ−ＡＣＫ（Hybrid  Automatic  Repeat  reQuest）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【００８６】
なお、本開示において下りリンク、上りリンクなどは「リンク」を付けずに表現されてもよい。また、各種チャネルの先頭に「物理（Physical）」を付けずに表現されてもよい。
【００８７】
無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【００８８】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【００８９】
また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【００９０】
（基地局）
図６は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【００９１】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【００９２】
制御部１１０は、基地局１０全体の制御を実施する。制御部１１０は、本開示に係る技術分野での共通認識に基づいて説明されるコントローラ、制御回路などから構成することができる。
【００９３】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【００９４】
送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【００９５】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【００９６】
送受信アンテナ１３０は、本開示に係る技術分野での共通認識に基づいて説明されるアンテナ、例えばアレイアンテナなどから構成することができる。
【００９７】
送受信部１２０は、上述の下りリンクチャネル、同期信号、下りリンク参照信号などを送信してもよい。送受信部１２０は、上述の上りリンクチャネル、上りリンク参照信号などを受信してもよい。
【００９８】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【００９９】
送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０１００】
送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０１０１】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１０２】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１０３】
送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１０４】
送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０１０５】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１０６】
なお、本開示における基地局１０の送信部及び受信部は、送受信部１２０、送受信アンテナ１３０及び伝送路インターフェース１４０の少なくとも１つによって構成されてもよい。
【０１０７】
なお、送受信部１２０は、セルにおいてマスタ情報ブロック（ＭＩＢ）、システム情報ブロック（ＳＩＢ）１、ＲＲＣ再構成メッセージの少なくとも一つを送信してもよい。
【０１０８】
また、送受信部１２０は、上り信号（例えば、上り制御チャネル、上り共有チャネル、ＤＭＲＳなど）を送信する。また、送受信部１２０は、下り信号（例えば、下り制御チャネル、下り共有チャネル、ＤＭＲＳ、下り制御情報、上位レイヤパラメータなど）を受信する。具体的には、送受信部１２０は、下り共有チャネルに割り当てられる周波数領域リソースを示す所定フィールドを含む下り制御情報を送信してもよい。
【０１０９】
（ユーザ端末）
図７は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１１０】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１１１】
制御部２１０は、ユーザ端末２０全体の制御を実施する。制御部２１０は、本開示に係る技術分野での共通認識に基づいて説明されるコントローラ、制御回路などから構成することができる。
【０１１２】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１１３】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１１４】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１１５】
送受信アンテナ２３０は、本開示に係る技術分野での共通認識に基づいて説明されるアンテナ、例えばアレイアンテナなどから構成することができる。
【０１１６】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１１７】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１１８】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１１９】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１２０】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１２１】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１２２】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１２３】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１２４】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１２５】
なお、本開示におけるユーザ端末２０の送信部及び受信部は、送受信部２２０、送受信アンテナ２３０及び伝送路インターフェース２４０の少なくとも１つによって構成されてもよい。
【０１２６】
なお、送受信部２２０は、セルにおいてマスタ情報ブロック（ＭＩＢ）、システム情報ブロック（ＳＩＢ）１、ＲＲＣ再構成メッセージの少なくとも一つを受信してもよい。
【０１２７】
なお、送受信部２２０は、上り信号（例えば、上り制御チャネル、上り共有チャネル、ＤＭＲＳなど）を送信する。また、送受信部２２０は、下り信号（例えば、下り制御チャネル、下り共有チャネル、ＤＭＲＳ、下り制御情報、上位レイヤパラメータなど）を受信する。具体的には、送受信部２２０は、下り共有チャネルに割り当てられる周波数領域リソースを示す所定フィールドを含む下り制御情報を送信してもよい。
【０１２８】
なお、送受信部２２０は、特定の無線ネットワーク一時識別子（ＲＮＴＩ）で巡回冗長検査（ＣＲＣ）がスクランブルされる下り制御情報を、共通サーチスペースを監視して受信してもよい。
【０１２９】
制御部２１０は、前記共通サーチスペース用の制御リソースセットが設定されるか否かに基づいて、前記下り制御情報によりスケジューリングされる下り共有チャネル用のリソースブロックのナンバリング、及び、前記下り制御情報により指定可能なリソースブロックの最大数の少なくとも一つを制御してもよい。
【０１３０】
制御部２１０は、前記制御リソースセットが設定されない場合、前記リソースブロックのナンバリングを、共通制御リソースセット内の最も低いリソースブロックから開始してもよい。
【０１３１】
制御部２１０は、前記制御リソースセットが設定されない場合、前記リソースブロックの最大数を、共通制御リソースセットのサイズに基づいて決定してもよい。
【０１３２】
制御部２１０は、前記制御リソースセットが設定されない場合、前記リソースブロックのナンバリングを、初期アクセス用の下り帯域幅部分内の最も低いリソースブロックから開始してもよい。
【０１３３】
制御部２１０は、前記制御リソースセットが設定されない場合、前記リソースブロックの最大数を、初期アクセス用の下り帯域幅部分のサイズに基づいて決定してもよい。
【０１３４】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１３５】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１３６】
例えば、本開示の一実施形態における基地局、ユーザ端末などは、本開示の無線通信方法の処理を行うコンピュータとして機能してもよい。図８は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１３７】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１３８】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１３９】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１４０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０１４１】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１４２】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１４３】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１４４】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１４５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１４６】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１４７】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１４８】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１４９】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１５０】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１５１】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１５２】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１５３】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１５４】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１５５】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１５６】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１５７】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１５８】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１５９】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１６０】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１６１】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１６２】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１６３】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１６４】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１６５】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１６６】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１６７】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１６８】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１６９】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１７０】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１７１】
また、情報、信号などは、上位レイヤから下位レイヤ及び下位レイヤから上位レイヤの少なくとも一方へ出力され得る。情報、信号などは、複数のネットワークノードを介して入出力されてもよい。
【０１７２】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１７３】
情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１７４】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０１７５】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１７６】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１７７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１７８】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１７９】
本開示において使用する「システム」及び「ネットワーク」という用語は、互換的に使用され得る。「ネットワーク」は、ネットワークに含まれる装置（例えば、基地局）のことを意味してもよい。
【０１８０】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０１８１】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１８２】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１８３】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１８４】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１８５】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１８６】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０１８７】
同様に、本開示におけるユーザ端末は、基地局で読み替えてもよい。この場合、上述のユーザ端末２０が有する機能を基地局１０が有する構成としてもよい。
【０１８８】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１８９】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１９０】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０１９１】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１９２】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０１９３】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０１９４】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０１９５】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０１９６】
また、「判断（決定）」は、「想定する（assuming）」、「期待する（expecting）」、「みなす（considering）」などで読み替えられてもよい。
【０１９７】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０１９８】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０１９９】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２００】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２０１】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２０２】
本開示において、例えば、英語でのa,  an及びtheのように、翻訳によって冠詞が追加された場合、本開示は、これらの冠詞の後に続く名詞が複数形であることを含んでもよい。
【０２０３】
（付記）
本開示の補足事項について付記する。以下のような構成を提案する。
【０２０４】
［構成１］
特定の無線ネットワーク一時識別子（ＲＮＴＩ）で巡回冗長検査（ＣＲＣ）がスクランブルされる下り制御情報を、共通サーチスペースを監視して受信する受信部と、
前記共通サーチスペース用の制御リソースセットが設定されるか否かに基づいて、前記下り制御情報によりスケジューリングされる下り共有チャネル用のリソースブロックのナンバリング、及び、前記下り制御情報により指定可能なリソースブロックの最大数の少なくとも一つを制御する制御部と、
を具備することを特徴とするユーザ端末。
【０２０５】
［構成２］
前記制御部は、前記制御リソースセットが設定されない場合、前記リソースブロックのナンバリングを、共通制御リソースセット内の最も低いリソースブロックから開始することを特徴とする構成１に記載のユーザ端末。
【０２０６】
［構成３］
前記制御部は、前記制御リソースセットが設定されない場合、前記リソースブロックの最大数を、共通制御リソースセットのサイズに基づいて決定することを特徴とする構成１又は構成２に記載のユーザ端末。
【０２０７】
［構成４］
前記制御部は、前記制御リソースセットが設定されない場合、前記リソースブロックのナンバリングを、上位レイヤパラメータに基づいて決定される初期アクセス用の下り帯域幅部分内の最も低いリソースブロックから開始することを特徴とする構成１に記載のユーザ端末。
【０２０８】
［構成５］
前記制御部は、前記制御リソースセットが設定されない場合、前記リソースブロックの最大数を、上位レイヤパラメータに基づいて決定される初期アクセス用の下り帯域幅部分のサイズに基づいて決定することを特徴とする構成１又は構成４に記載のユーザ端末。
【０２０９】
［構成６］
特定の無線ネットワーク一時識別子（ＲＮＴＩ）で巡回冗長検査（ＣＲＣ）がスクランブルされる下り制御情報を、共通サーチスペースを監視して受信する工程と、
前記共通サーチスペース用の制御リソースセットが設定されるか否かに基づいて、前記下り制御情報によりスケジューリングされる下り共有チャネル用のリソースブロックのナンバリング、及び、前記下り制御情報により指定可能なリソースブロックの最大数の少なくとも一つを制御する工程と、
を具備することを特徴とするユーザ端末の無線通信方法。
【０２１０】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【０２１１】
本出願は、２０１８年１０月１０日出願の特願２０１８−２０２３０９に基づく。この内容は、全てここに含めておく。
【図１】
2020075618.tif 000003
【図２】
2020075618.tif 000004
【図３】
2020075618.tif 000005
【図４】
2020075618.tif 000006
【図５】
2020075618.tif 000007
【図６】
2020075618.tif 000008
【図７】
2020075618.tif 000009
【図８】
2020075618.tif 000010
【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
共通サーチスペースを監視して、下りリンク共有チャネルのスケジューリングに用いられる下りリンク制御情報を受信する受信部と、
マスタ情報ブロック（Master  Information  Block（ＭＩＢ））内のパラメータによって制御リソースセットが設定されるか否かに基づいて、前記下りリンク制御情報により指定可能なリソースブロックの最大数を制御する制御部と、を具備することを特徴とする端末。
【請求項２】
前記制御部は、前記制御リソースセットが設定される場合、前記最大数を、前記制御リソースセットのサイズに基づいて決定することを特徴とする請求項１に記載の端末。
【請求項３】
前記制御部は、前記制御リソースセットが設定されない場合、前記最大数を、初期下りリンク帯域幅部分（Bandwidth  part（ＢＷＰ））のサイズに基づいて決定することを特徴とする請求項１又は請求項２に記載の端末。
【請求項４】
前記初期下りリンクＢＷＰのサイズは、初期下りリンクＢＷＰ用に提供される位置及び帯域幅の少なくとも１つの決定に用いられる情報によって与えられ、
前記情報は、Radio  Resource  Control（ＲＲＣ）再構成メッセージ又はシステム情報ブロック１（System  Information  Block（ＳＩＢ）  1）に含まれることを特徴とする請求項３に記載の端末。
【請求項５】
前記下りリンク制御情報は、Cell−Radio  Network  Temporary  Identifier（Ｃ−ＲＮＴＩ）、Configured  Scheduling（ＣＳ）−ＲＮＴＩ又はRandom  Access（ＲＡ）−ＲＮＴＩによって巡回冗長検査（Cyclic  Redundancy  Check（ＣＲＣ））スクランブルされることを特徴とする請求項１から請求項４のいずれかに記載の端末。
【請求項６】
共通サーチスペースを監視して、下りリンク共有チャネルのスケジューリングに用いられる下りリンク制御情報を受信するステップと、
マスタ情報ブロック（Master  Information  Block（ＭＩＢ））内のパラメータによって制御リソースセットが設定されるか否かに基づいて、前記下りリンク制御情報により指定可能なリソースブロックの最大数を制御するステップと、を具備することを特徴とする端末の無線通信方法。
【請求項７】
マスタ情報ブロック（Master  Information  Block（ＭＩＢ））内のパラメータによって制御リソースセットが設定されるか否かに基づいて、下りリンク共有チャネルのスケジューリングに用いられる下りリンク制御情報により指定可能なリソースブロックの最大数を制御する制御部と、
共通サーチスペースにおいて前記下りリンク制御情報を送信する送信部と、を具備する基地局。
【請求項８】
端末及び基地局を有するシステムであって、
前記端末は、
共通サーチスペースを監視して、下りリンク共有チャネルのスケジューリングに用いられる下りリンク制御情報を受信する受信部と、
マスタ情報ブロック（Master  Information  Block（ＭＩＢ））内のパラメータによって制御リソースセットが設定されるか否かに基づいて、前記下りリンク制御情報により指定可能なリソースブロックの最大数を制御する制御部と、を具備し、
前記基地局は、
前記共通サーチスペースにおいて前記下りリンク制御情報を送信する送信部と、を具備するシステム。
【手続補正３】
【補正対象書類名】明細書
【補正対象項目名】０００１
【補正方法】変更
【補正の内容】
【０００１】
本開示は、次世代移動通信システムにおける端末、無線通信方法、基地局及びシステムに関する。
【手続補正４】
【補正対象書類名】明細書
【補正対象項目名】０００９
【補正方法】変更
【補正の内容】
【０００９】
そこで、本開示は、下り共有チャネルの受信処理を適切に制御可能な端末、無線通信方法、基地局及びシステムを提供することを目的の１つとする。
【手続補正５】
【補正対象書類名】明細書
【補正対象項目名】００１０
【補正方法】変更
【補正の内容】
【００１０】
本開示の一態様に係る端末は、共通サーチスペースを監視して、下りリンク共有チャネルのスケジューリングに用いられる下りリンク制御情報を受信する受信部と、マスタ情報ブロック（Master  Information  Block（ＭＩＢ））内のパラメータによって制御リソースセットが設定されるか否かに基づいて、前記下りリンク制御情報により指定可能なリソースブロックの最大数を制御する制御部と、を具備することを特徴とする。
【国際調査報告】
2020075618.tif 000011
2020075618.tif 000012
2020075618.tif 000013
2020075618.tif 000014